(57)【特許請求の範囲】
【請求項１】
メディア・ゲートウェイ装置と、前記メディア・ゲートウェイ装置を制御するメディア・ゲートウェイ・コントローラ装置とからなるネットワークであって、
前記メディア・ゲートウェイ装置を論理的に分割し、前記メディア・ゲートウェイ・コントローラ装置が前記メディア・ゲートウェイ装置を制御するための制御プロトコルを多段構成とし、前記メディア・ゲートウェイ装置を複数のメディア・ゲートウェイ・コントローラ装置から制御可能とし、
前記制御プロトコルは、マスタ／スレーブの関係を持って制御を行うＭｅｇａｃｏ（Ｍｅｄｉａ  Ｇａｔｅｗａｙ  Ｃｏｎｔｒｏｌ）／Ｈ．２４８プロトコルであり、
前記メディア・ゲートウェイ装置は、内部に前記複数のメディア・ゲートウェイ・コントローラ装置から制御可能とするためのＭｅｇａｃｏスレーブを持つとともに、内部に前記Ｍｅｇａｃｏスレーブから制御が中継される擬似のＭｅｇａｃｏマスタ及び擬似Ｍｅｇａｃｏスレーブを持つことで前記Ｍｅｇａｃｏプロトコルを多段実装することを特徴とするネットワーク。
【請求項２】
前記メディア・ゲートウェイ装置は、ＩＰ（Ｉｎｔｅｒｎｅｔ  Ｐｒｏｔｏｃｏｌ）網とのインタフェース機能を持つＩＰインタフェース回路と、回線交換網とのインタフェース機能を持つ回線インタフェース回路と、前記回線交換網側から受信した音声データを前記ＩＰ網側へのパケットに変換しかつ前記ＩＰ網側からのパケットを前記回線交換網側への音声データに変換するＶｏＩＰ（Ｖｏｉｃｅ  ｏｖｅｒ  Ｉｎｔｅｒｅｎｔ  Ｐｒｏｔｏｃｏｌ）制御回路と、前記ＶｏＩＰ制御回路の終端処理を一括管理する機能を持つ呼制御管理回路と、前記ＩＰインタフェース回路と前記ＶｏＩＰ制御回路と前記呼制御管理回路とに前記パケットを転送する機能を持つスイッチ回路とを含み、
前記ＶｏＩＰ制御回路は、擬似Ｍｅｇａｃｏスレーブを持ち、
前記呼制御管理回路は、前記Ｍｅｇａｃｏスレーブと前記擬似のＭｅｇａｃｏマスタとを持つことを特徴とする請求項１記載のネットワーク。
【請求項３】
前記ＶｏＩＰ制御回路は、ＶｏＩＰ用のＤＳＰ（Ｄｉｇｉｔａｌ  Ｓｉｇｎａｌ  Ｐｒｏｃｅｓｓｏｒ）を搭載することを特徴とする請求項２記載のネットワーク。
【請求項４】
メディア・ゲートウェイ・コントローラ装置から制御されるメディア・ゲートウェイ装置であって、
自装置を論理的に分割し、前記メディア・ゲートウェイ・コントローラ装置が自装置を制御するための制御プロトコルを多段構成とし、自装置を複数のメディア・ゲートウェイ・コントローラ装置から制御可能とし、
前記制御プロトコルは、マスタ／スレーブの関係を持って制御を行うＭｅｇａ
ｃｏ（Ｍｅｄｉａ  Ｇａｔｅｗａｙ  Ｃｏｎｔｒｏｌ）／Ｈ．２４８プロトコル
であり、
内部に前記複数のメディア・ゲートウェイ・コントローラ装置から制御可能とするためのＭｅｇａｃｏスレーブを持つとともに、内部に前記Ｍｅｇａｃｏスレーブから制御が中継される擬似のＭｅｇａｃｏマスタ及び擬似Ｍｅｇａｃｏスレーブを持つことで前記Ｍｅｇａｃｏプロトコルを多段実装することを特徴とするメディア・ゲートウェイ装置。
【請求項５】
ＩＰ（Ｉｎｔｅｒｎｅｔ  Ｐｒｏｔｏｃｏｌ）網とのインタフェース機能を持つＩＰインタフェース回路と、回線交換網とのインタフェース機能を持つ回線インタフェース回路と、前記回線交換網側から受信した音声データを前記ＩＰ網側へのパケットに変換しかつ前記ＩＰ網側からのパケットを前記回線交換網側への音声データに変換するＶｏＩＰ（Ｖｏｉｃｅ  ｏｖｅｒ  Ｉｎｔｅｒｅｎｔ  Ｐｒｏｔｏｃｏｌ）制御回路と、前記ＶｏＩＰ制御回路の終端処理を一括管理する機能を持つ呼制御管理回路と、前記ＩＰインタフェース回路と前記ＶｏＩＰ制御回路と前記呼制御管理回路とに前記パケットを転送する機能を持つスイッチ回路とを含み、
前記ＶｏＩＰ制御回路は、擬似Ｍｅｇａｃｏスレーブを持ち、
前記呼制御管理回路は、前記Ｍｅｇａｃｏスレーブと前記擬似のＭｅｇａｃｏマスタとを持つことを特徴とする請求項４記載のメディア・ゲートウェイ装置。
【請求項６】
前記ＶｏＩＰ制御回路は、ＶｏＩＰ用のＤＳＰ（Ｄｉｇｉｔａｌ  Ｓｉｇｎａｌ  Ｐｒｏｃｅｓｓｏｒ）を搭載することを特徴とする請求項５記載のメディア・ゲートウェイ装置。
【請求項７】
メディア・ゲートウェイ装置と、前記メディア・ゲートウェイ装置を制御するメディア・ゲートウェイ・コントローラ装置とからなるネットワークに用いるメディア・ゲートウェイ分割制御方法であって、
前記メディア・ゲートウェイ装置を論理的に分割し、前記メディア・ゲートウェイ・コントローラ装置が前記メディア・ゲートウェイ装置を制御するための制御プロトコルを多段構成とし、前記メディア・ゲートウェイ装置を複数のメディア・ゲートウェイ・コントローラ装置から制御可能とし、
前記制御プロトコルは、マスタ／スレーブの関係を持って制御を行うＭｅｇａｃｏ（Ｍｅｄｉａ  Ｇａｔｅｗａｙ  Ｃｏｎｔｒｏｌ）／Ｈ．２４８プロトコルであり、
前記メディア・ゲートウェイ装置が、内部に前記複数のメディア・ゲートウェイ・コントローラ装置から制御可能とするためのＭｅｇａｃｏスレーブを持つとともに、内部に前記Ｍｅｇａｃｏスレーブから制御が中継される擬似のＭｅｇａｃｏマスタ及び擬似Ｍｅｇａｃｏスレーブを持つことで前記Ｍｅｇａｃｏプロトコルを多段実装することを特徴とするメディア・ゲートウェイ分割制御方法。
【請求項８】
前記メディア・ゲートウェイ装置が、ＩＰ（Ｉｎｔｅｒｎｅｔ  Ｐｒｏｔｏｃｏｌ）網とのインタフェース機能を持つＩＰインタフェース回路と、回線交換網とのインタフェース機能を持つ回線インタフェース回路と、前記回線交換網側から受信した音声データを前記ＩＰ網側へのパケットに変換しかつ前記ＩＰ網側からのパケットを前記回線交換網側への音声データに変換するＶｏＩＰ（Ｖｏｉｃｅ  ｏｖｅｒ  Ｉｎｔｅｒｅｎｔ  Ｐｒｏｔｏｃｏｌ）制御回路と、前記ＶｏＩＰ制御回路の終端処理を一括管理する機能を持つ呼制御管理回路と、前記ＩＰインタフェース回路と前記ＶｏＩＰ制御回路と前記呼制御管理回路とに前記パケットを転送する機能を持つスイッチ回路とを備え、
前記ＶｏＩＰ制御回路が、擬似Ｍｅｇａｃｏスレーブを持ち、
前記呼制御管理回路が、前記Ｍｅｇａｃｏスレーブと前記擬似のＭｅｇａｃｏマスタとを持つことを特徴とする請求項７記載のメディア・ゲートウェイ分割制御方法。
【請求項９】
前記ＶｏＩＰ制御回路が、ＶｏＩＰ用のＤＳＰ（Ｄｉｇｉｔａｌ  Ｓｉｇｎａｌ  Ｐｒｏｃｅｓｓｏｒ）を搭載することを特徴とする請求項８記載のメディア・ゲートウェイ分割制御方法。
【発明の詳細な説明】
【技術分野】
【０００１】
本発明はネットワーク、メディア・ゲートウェイ装置及びそれに用いるメディア・ゲートウェイ分割制御方法に関し、特にネットワークを構成するＭＧＷ（Ｍｅｄｉａ  ＧｅｔＷａｙ：メディア・ゲートウェイ）に関する。
【背景技術】
【０００２】
近年、ＶｏＩＰ（Ｖｏｉｃｅ  ｏｖｅｒ  Ｉｎｔｅｒｅｎｔ  Ｐｒｏｔｏｃｏｌ）用のＤＳＰ（Ｄｉｇｉｔａｌ  Ｓｉｇｎａｌ  Ｐｒｏｃｅｓｓｏｒ）の処理能力が向上してきており、１個のＤＳＰで処理できるチャネル数が増えてきている。それに伴い、ＭＧＷについても多数のチャネルを収容する、大規模ネットワーク用のものが登場してきている。
【０００３】
しかしながら、ＭＧＷを制御するＭＧＣ（Ｍｅｄｉａ  Ｇｅｔｗａｙ  Ｃｏｎｔｒｏｌｌｅｒ：メディア・ゲートウェイ・コントローラ）が、ＭＧＷの収容するチャネルを全て制御できる程の処理能力を持っていない場合がある。ＭＧＣはＭＧＷをＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）やＩＥＴＦ（Ｉｎｔｅｒｎｅｔ  Ｅｎｇｉｎｅｅｒｉｎｇ  Ｔａｓｋ  Ｆｏｒｃｅ）で標準化されているＭｅｇａｃｏ（Ｍｅｄｉａ  Ｇａｔｅｗａｙ  Ｃｏｎｔｒｏｌ）／Ｈ．２４８プロトコル（ＩＴＵ−Ｔ  Ｈ．２４８）（例えば、非特許文献１参照）にて制御するが、このＭｅｇａｃｏはマスタ（Ｍａｓｔｅｒ）／スレーブ（Ｓｌａｖｅ）の関係なので、基本的にはＭＧＣとＭＧＷとは１対１の関係となり、ＭＧＷの能力をフルに発揮できない場合がある。
【０００４】
従来のＭＧＷとＭＧＣとの接続の関係について、図１０及び図１１を参照して説明する。図１０において、ＭＧＷはプライマリ（Ｐｒｉｍａｒｙ）ＭＧＣ６−１からＭｅｇａｃｏ／Ｈ．２４８を使用して制御されており、基本的には、ＭＧＷ７とＭＧＣ６−１，６−２とは１対１の関係である。ＭＧＷ７はプライマリＭＧＣ６−１が障害になった場合に、セカンダリ（Ｓｅｃｏｎｄａｒｙ）ＭＧＣ６−２をアクティブ（Ａｃｔｉｖｅ）にし、サービスを継続するために複数のＭＧＣと接続されている。
【０００５】
図１１において、ＭＧＷ８は装置としてＭｅｇａｃｏを終端するのではなく、収容している各ＶｏＩＰ制御部９１〜９４がＭｅｇａｃｏを直接終端している。このため、ＭＧＷ９の全てのＶｏＩＰ制御部９１〜９４と通信するには、ＶｏＩＰ制御部９１〜９４と同じ数のＭＧＣが必要になるので、ＭＧＣ８内を複数の仮想ＭＧＣ８１〜８４に分割し、各仮想ＭＧＣ８１〜８４がＭＧＷ９のＶｏＩＰ制御部９１〜９４と１対１で通信を行っている。
【０００６】
【非特許文献１】“Ｍｅｇａｃｏ  Ｐｒｏｔｏｃｏｌ  Ｖｅｒｓｉｏｎ  １．０  １１．ＭＧ−ＭＧＣ  ＣＯＮＴＲＯＬ  ＩＮＴＥＲＦＡＣＥ”［ＲＦＣ（Ｒｅｑｕｅｓｔ  Ｆｏｒ  Ｃｏｍｍｅｎｔｓ）３０１５，Ｎｏｖｅｍｂｅｒ  ２０００，ｐｐ．７１〜７５］
【発明の開示】
【発明が解決しようとする課題】
【０００７】
上述した従来のネットワークでは、ＶｏＩＰ用のＤＳＰの処理能力が低く、ＭＧＷに大容量チャネルを収容することができないため、ＭＧＣとＭＧＷとの処理能力関係がＭＧＣ＞＞ＭＧＷであったが、近年、ＶｏＩＰ用のＤＳＰの処理能力向上が目覚しく、大幅に処理可能なチャネル数が増えてきたことと、現在主流の回線交換網をＩＰ（Ｉｎｔｅｒｎｅｔ  Ｐｒｏｔｏｃｏｌ）網へ移行したいという要求が出てきたために、大容量チャネル収容のＭＧＷが求められることが多くなってきている。
【０００８】
このような大容量ＭＧＷを制御するＭＧＣが、一つのＭＧＷを制御することができるほどの処理能力を持たない場合がでてきており、ＭＧＷに収容されているチャネルを制御しきれず、ＭＧＷの能力を充分に活用しきれないという問題がある。
【０００９】
また、従来のネットワークでは、大規模ネットワークにおいて、大容量のＭＧＷを使用することで、ＭＧＷの物量を抑えることができても、ＭＧＣの処理能力制限で、必要チャネル以上のＭＧＷが必要となってしまい、設置スペースや価格の面でもあまり効果的でないということである。
【００１０】
さらに、従来のネットワークでは、ＶｏＩＰ制御部が直接Ｍｅｇａｃｏを終端する場合、ＭＧＣを仮想分割して複数の論理ＭＧＣとし、各論理ＭＧＣが１つのＶｏＩＰ制御部と通信することによって、ＭＧＷを制御している。しかしながら、この方法では、ＭＧＣ側の処理能力が論理ＭＧＣを構成することに消費されてしまい、あまり効率のよい制御ではないという問題がある。
【００１１】
そこで、本発明の目的は上記の問題点を解消し、システムを最適に構築することができるネットワーク、メディア・ゲートウェイ装置及びそれに用いるメディア・ゲートウェイ分割制御方法を提供することにある。
【課題を解決するための手段】
【００１２】
本発明によるネットワークは、メディア・ゲートウェイ装置と、前記メディア・ゲートウェイ装置を制御するメディア・ゲートウェイ・コントローラ装置とからなるネットワークであって、
前記メディア・ゲートウェイ装置を論理的に分割し、前記メディア・ゲートウェイ・コントローラ装置が前記メディア・ゲートウェイ装置を制御するための制御プロトコルを多段構成とし、前記メディア・ゲートウェイ装置を複数のメディア・ゲートウェイ・コントローラ装置から制御可能とし、
前記制御プロトコルは、マスタ／スレーブの関係を持って制御を行うＭｅｇａｃｏ（Ｍｅｄｉａ  Ｇａｔｅｗａｙ  Ｃｏｎｔｒｏｌ）／Ｈ．２４８プロトコルであり、
前記メディア・ゲートウェイ装置は、内部に前記複数のメディア・ゲートウェイ・コントローラ装置から制御可能とするためのＭｅｇａｃｏスレーブを持つとともに、内部に前記Ｍｅｇａｃｏスレーブから制御が中継される擬似のＭｅｇａｃｏマスタ及び擬似Ｍｅｇａｃｏスレーブを持つことで前記Ｍｅｇａｃｏプロトコルを多段実装している。
【００１３】
本発明によるメディア・ゲートウェイ装置は、メディア・ゲートウェイ・コントローラ装置から制御されるメディア・ゲートウェイ装置であって、
自装置を論理的に分割し、前記メディア・ゲートウェイ・コントローラ装置が自装置を制御するための制御プロトコルを多段構成とし、自装置を複数のメディア・ゲートウェイ・コントローラ装置から制御可能とし、
前記制御プロトコルは、マスタ／スレーブの関係を持って制御を行うＭｅｇａ
ｃｏ（Ｍｅｄｉａ  Ｇａｔｅｗａｙ  Ｃｏｎｔｒｏｌ）／Ｈ．２４８プロトコル
であり、
内部に前記複数のメディア・ゲートウェイ・コントローラ装置から制御可能とするためのＭｅｇａｃｏスレーブを持つとともに、内部に前記Ｍｅｇａｃｏスレーブから制御が中継される擬似のＭｅｇａｃｏマスタ及び擬似Ｍｅｇａｃｏスレーブを持つことで前記Ｍｅｇａｃｏプロトコルを多段実装している。
【００１４】
本発明によるメディア・ゲートウェイ分割制御方法は、メディア・ゲートウェイ装置と、前記メディア・ゲートウェイ装置を制御するメディア・ゲートウェイ・コントローラ装置とからなるネットワークに用いるメディア・ゲートウェイ分割制御方法であって、
前記メディア・ゲートウェイ装置を論理的に分割し、前記メディア・ゲートウェイ・コントローラ装置が前記メディア・ゲートウェイ装置を制御するための制御プロトコルを多段構成とし、前記メディア・ゲートウェイ装置を複数のメディア・ゲートウェイ・コントローラ装置から制御可能とし、
前記制御プロトコルは、マスタ／スレーブの関係を持って制御を行うＭｅｇａｃｏ（Ｍｅｄｉａ  Ｇａｔｅｗａｙ  Ｃｏｎｔｒｏｌ）／Ｈ．２４８プロトコルであり、
前記メディア・ゲートウェイ装置が、内部に前記複数のメディア・ゲートウェイ・コントローラ装置から制御可能とするためのＭｅｇａｃｏスレーブを持つとともに、内部に前記Ｍｅｇａｃｏスレーブから制御が中継される擬似のＭｅｇａｃｏマスタ及び擬似Ｍｅｇａｃｏスレーブを持つことで前記Ｍｅｇａｃｏプロトコルを多段実装している。
【００１５】
すなわち、本発明のネットワークは、１つのＭＧＷ（Ｍｅｄｉａ  ＧｅｔＷａｙ：メディア・ゲートウェイ）を複数のＭＧＣ（Ｍｅｄｉａ  Ｇｅｔｗａｙ  Ｃｏｎｔｒｏｌｌｅｒ：メディア・ゲートウェイ・コントローラ）から制御可能にすることを特徴とする。
【００１６】
より具体的に説明すると、本発明のネットワークは、ＩＰ（Ｉｎｔｅｒｎｅｔ  Ｐｒｏｔｏｃｏｌ）インタフェース部がＩＰ網とのインタフェース機能を持ち、ＲＴＰ（Ｒｅａｌ−ｔｉｍｅ  Ｔｒａｎｓｐｏｒｔ  Ｐｒｏｔｏｃｏｌ）パケットや制御用のＭｅｇａｃｏ（Ｍｅｄｉａ  Ｇａｔｅｗａｙ  Ｃｏｎｔｒｏｌ）／Ｈ．２４８プロトコル（ＲＦＣ３０１５、ＩＴＵ−Ｔ  Ｈ．２４８）がそのＩＰインタフェース部を介してＩＰ網内の別ノードやＭＧＣと通信する。
【００１７】
ＶｏＩＰ（Ｖｏｉｃｅ  ｏｖｅｒ  Ｉｎｔｅｒｅｎｔ  Ｐｒｏｔｏｃｏｌ）制御部は、内部にＶｏＩＰ用のＤＳＰ（Ｄｉｇｉｔａｌ  Ｓｉｇｎａｌ  Ｐｒｏｃｅｓｓｏｒ）を搭載しており、回線交換網側から受信した音声データをＲＴＰパケット化、あるいはその逆にＲＴＰパケットを回線交換網側の音声データへのメディア変換、コーディック（Ｃｏｄｅｃ）変換、エコーキャンセラ等の機能を持つ。
【００１８】
回線インタフェース部は交換網とのインタフェース機能を持つ。スイッチ（ＳＷ）はＩＰインタフェース部とＶｏＩＰ制御部と呼制御管理部とにＲＴＰパケットやＭｅｇａｃｏのパケットを転送する機能を持つ。呼制御管理部はＶｏＩＰ制御部のＴｅｒｍｉｎａｔｉｏｎ（終端）を一括管理する機能を持つ。
【００１９】
本発明のネットワークでは、１つのＭＧＷ内にＭｅｇａｃｏスレーブ（Ｓｌａｖｅ）を持ち、複数のＭＧＣから制御が可能にすることと、ＭＧＷ内部に擬似のＭｅｇａｃｏマスタ（Ｍａｓｔｅｒ）と擬似Ｍｅｇａｃｏスレーブとを持ち、Ｍｅｇａｃｏプロトコルを多段実装することによって、リソースを効率よく使用することを可能としている。
【００２０】
これによって、本発明のネットワークでは、ＭＧＷを論理的に分割して、Ｍｅｇａｃｏプロトコルを多段構成にして、複数のＭＧＣから制御可能とすることで、大容量のＭＧＷを最も効率良く使用することによって、システムを最適に構築する方法を提供することが可能となる。
【００２１】
上記のように、本発明のネットワークでは、ＭＧＷを論理的に分割して、複数のＭＧＣから制御することが可能となるため、ＭＧＣの処理能力がＭＧＷの収容チャネル数より少ない場合でも、ＭＧＷの収容チャネルを効率よく利用することが可能となる。
【００２２】
また、本発明のネットワークでは、ＭＧＷ内でＭｅｇａｃｏプロトコルが多段構成になっているため、ＭＧＣからは意識せずに、複数のＶｏＩＰ制御部のＭｅｇａｃｏスレーブ（擬似Ｍｅｇａｃｏスレーブ）と通信することが可能となり、ＭＧＣの処理能力分のチャネルを有効に制御することが可能となる。
【００２３】
さらに、本発明のネットワークでは、ＶｏＩＰ制御部のＴｅｒｍｉｎａｔｉｏｎを呼制御管理部で一括管理するため、複数のＭＧＣが１つのＶｏＩＰ制御部のＴｅｒｍｉｎａｔｉｏｎを使用することが可能となり、分割損がおきない。
【００２４】
さらにまた、本発明のネットワークでは、呼制御管理の擬似ＭｅｇａｃｏマスタとＶｏＩＰ制御部の擬似Ｍｅｇａｃｏスレーブとの間で標準のＭｅｇａｃｏを使用しているため、ＶｏＩＰ制御部を他のベンダーのカードと交換することが可能となり、最新トレンドのＶｏＩＰ用のＤＳＰを取り入れることによって、ＭＧＷの性能を上げていくことが可能となる。例えば、ＶｏＩＰ制御部が、ＰＩＣＭＧ［ＰＣＩ（Ｐｅｒｉｐｈｅｒａｌ  Ｃｏｍｐｏｎｅｎｔｓ  Ｉｎｔｅｒｃｏｎｎｅｃｔ）  Ｉｎｄｕｓｔｒｉａｌ  Ｃｏｍｐｕｔｅｒ  Ｍａｎｕｆａｃｔｕｒｅｒｓ  Ｇｒｕｏｐ］２．ｘで標準化されているｃＰＣＩ（ＣｏｍｐａｃｔＰＣＩ）のような標準プラットホームに準拠しているカードで実現している場合、このＶｏＩＰ制御部のカードだけを他ベンダーのカードと交換して使用することが可能となる。
【発明の効果】
【００２５】
本発明は、以下に述べるような構成及び動作とすることで、システムを最適に構築することができるという効果が得られる。
【発明を実施するための最良の形態】
【００２６】
次に、本発明の実施例について図面を参照して説明する。図１は本発明の一実施例によるＭＧＷ（Ｍｅｄｉａ  ＧｅｔＷａｙ：メディア・ゲートウェイ）の構成を示すブロック図である。図１において、ＭＧＷ１は回線インタフェース部１１−１〜１１−４と、ＶｏＩＰ（Ｖｏｉｃｅ  ｏｖｅｒ  Ｉｎｔｅｒｅｎｔ  Ｐｒｏｔｏｃｏｌ）制御部１２−１〜１２−４と、ＩＰ（Ｉｎｔｅｒｎｅｔ  Ｐｒｏｔｏｃｏｌ）インタフェース部１３と、スイッチ回路（ＳＷ）１４と、呼制御管理部１５とから構成され、保守端末２が接続されている。
【００２７】
ＩＰインタフェース部１３はＩＰ網（図示せず）とのインタフェース機能を持ち、ＲＴＰ（Ｒｅａｌ−ｔｉｍｅ  Ｔｒａｎｓｐｏｒｔ  Ｐｒｏｔｏｃｏｌ）パケットや制御用のＭｅｇａｃｏ（Ｍｅｄｉａ  Ｇａｔｅｗａｙ  Ｃｏｎｔｒｏｌ）／Ｈ．２４８プロトコル（ＲＦＣ３０１５、ＩＴＵ−Ｔ  Ｈ．２４８）がそのＩＰインタフェース部１３を介してＩＰ網内の別ノードやＭＧＣ（Ｍｅｄｉａ  Ｇｅｔｗａｙ  Ｃｏｎｔｒｏｌｌｅｒ：メディア・ゲートウェイ・コントローラ）（図示せず）と通信する。
【００２８】
ＶｏＩＰ制御部１２−１〜１２−４は、内部にＶｏＩＰ用のＤＳＰ（Ｄｉｇｉｔａｌ  Ｓｉｇｎａｌ  Ｐｒｏｃｅｓｓｏｒ）を搭載しており、回線交換網（図示せず）側から受信した音声データをＲＴＰパケット化、あるいはその逆にＲＴＰパケットを回線交換網側の音声データへのメディア変換、コーディック（Ｃｏｄｅｃ）変換、エコーキャンセラ等の機能を持つ。
【００２９】
回線インタフェース部１１−１〜１１−４は回線交換網とのインタフェース機能を持つ。スイッチ回路１４はＩＰインタフェース部１３とＶｏＩＰ制御部１２−１〜１２−４と呼制御管理部１５とにＲＴＰパケットやＭｅｇａｃｏのパケットを転送する機能を持つ。呼制御管理部１５はＶｏＩＰ制御部１２−１〜１２−４のＴｅｒｍｉｎａｔｉｏｎ（終端）を一括管理する。
【００３０】
本実施例によるネットワークでは、１つのＭＧＷ内にＭｅｇａｃｏスレーブ（Ｓｌａｖｅ）を持ち、複数のＭＧＣから制御が可能にすることと、ＭＧＷ内部に擬似のＭｅｇａｃｏマスタ（Ｍａｓｔｅｒ）と擬似Ｍｅｇａｃｏスレーブとを持ち、Ｍｅｇａｃｏプロトコルを多段実装することによって、リソースを効率よく使用することを可能としている。
【００３１】
これによって、本実施例によるネットワークでは、ＭＧＷを論理的に分割して、Ｍｅｇａｃｏプロトコルを多段構成にして、複数のＭＧＣから制御可能とすることで、大容量のＭＧＷを最も効率良く使用することによって、システムを最適に構築する方法を提供することができる。
【００３２】
図２は本発明の一実施例によるネットワークの一例を示す図である。図２においては、８０００チャネルを収容するＭＧＷ１を、４０００チャネルを処理する能力しか持っていない２つのＭＧＣ３−１，３−２で制御する構成を示している。
【００３３】
図３は本発明の一実施例によるネットワークの他の例を示す図である。図２において、図３においては、８０００チャネルを収容するＭＧＷ１を、３０００チャネルを処理する能力しかないＭＧＣ４−１と、５０００チャネルを処理する能力しかないＭＧＣ４−２との２つのＭＧＣで制御する構成を示している。
【００３４】
図４は本発明の一実施例においてＭＧＷ１の各機能によるＭＧＣからの制御の中継形態を示す図である。図４においては、ＭＧＣ５−１，５−２及びＭＧＷ１のＭｅｇａｃｏのマスタ（Ｍ１，Ｍ２）／スレーブ（Ｓ１，Ｓ２）の関係と、ＭＧＷ１内での擬似Ｍｅｇａｃｏマスタ（Ｍ’１，Ｍ’２，Ｍ’３，Ｍ’４）／スレーブ（Ｓ’１，Ｓ’２，Ｓ’３，Ｓ’４）の関係と、Ｍｅｇａｃｏと擬似Ｍｅｇａｃｏとの関係（Ｍｅｇａｃｏの多段構成）とをそれぞれ示している。
【００３５】
すなわち、ＭＧＣ５−１，５−２はＭｅｇａｃｏマスタ（Ｍ１，Ｍ２）を持ち、ＭＧＷ１の呼制御管理部１５はＭｅｇａｃｏスレーブ（Ｓ１，Ｓ２）を持ち、ＭＧＣ５−１，５−２のＭｅｇａｃｏマスタ（Ｍ１，Ｍ２）からの制御は呼制御管理部１５のＭｅｇａｃｏスレーブ（Ｓ１，Ｓ２）に中継される。また、呼制御管理部１５は擬似Ｍｅｇａｃｏマスタ（Ｍ’１，Ｍ’２，Ｍ’３，Ｍ’４）を持ち、ＶｏＩＰ制御部１２−１〜１２−４各々は擬似Ｍｅｇａｃｏスレーブ（Ｓ’１，Ｓ’２，Ｓ’３，Ｓ’４）を持ち、呼制御管理部１５の擬似Ｍｅｇａｃｏマスタ（Ｍ’１，Ｍ’２，Ｍ’３，Ｍ’４）からの制御はＶｏＩＰ制御部１２−１〜１２−４各々の擬似Ｍｅｇａｃｏスレーブ（Ｓ’１，Ｓ’２，Ｓ’３，Ｓ’４）に中継される。
【００３６】
この場合、ＭＧＣ５−１，５−２のＭｅｇａｃｏマスタ（Ｍ１，Ｍ２）と呼制御管理部１５のＭｅｇａｃｏスレーブ（Ｓ１，Ｓ２）との間はＭｅｇａｃｏ／Ｈ．２４８プロトコルで通信が行われ、呼制御管理部１５の擬似Ｍｅｇａｃｏマスタ（Ｍ’１，Ｍ’２，Ｍ’３，Ｍ’４）とＶｏＩＰ制御部１２−１〜１２−４各々の擬似Ｍｅｇａｃｏスレーブ（Ｓ’１，Ｓ’２，Ｓ’３，Ｓ’４）との間もＭｅｇａｃｏ／Ｈ．２４８プロトコルで通信が行われる。よって、ＭＧＷ１では擬似Ｍｅｇａｃｏマスタ（Ｍ’１，Ｍ’２，Ｍ’３，Ｍ’４）と擬似Ｍｅｇａｃｏスレーブ（Ｓ’１，Ｓ’２，Ｓ’３，Ｓ’４）とによってＭｅｇａｃｏプロトコルが多段実装されることとなる。
【００３７】
図５は図１に示すＶｏＩＰ制御部内において作成されるＣｏｎｔｅｘｔを示す図である。図５においては、ＶｏＩＰ制御部１２内に回線交換網ストリームとＲＴＰストリームとのアソシエーションを定義するために、Ｍｅｇａｃｏでの指示によって作成されるＣｏｎｔｅｘｔ＃１〜＃３を示している。このＣｏｎｔｅｘｔ＃１〜＃３が作成されることによって、ＶｏＩＰ制御部１２内では交換網側の音声をＩＰ網へ、ＩＰ網側のＲＴＰパケットを交換網側へ転送することが可能になる。
【００３８】
また、ＭＧＷ１の収容チャネル数は、「Ｔ１，Ｔ２，Ｔ３，・・・」で表されるＥｐｈｅｍｅｒａｌ  Ｔｅｒｍｉｎａｔｉｏｎの数と同等で、ＲＴＰストリームで使用されている時のみ存在する。Ｓｅｍｉ−ｐｅｒｍａｎｅｎｔ  Ｔｅｒｍｉｎａｔｉｏｎ（Ｔａ，Ｔｂ，Ｔｃ，・・・）は回線交換網側の物理エンティティと括り付けになるため、半永久的に存在する。
【００３９】
図６は図１の呼制御管理部１５内に設けられたリソース管理テーブルの構成を示す図である。図６において、リソース管理テーブルはＭＧＣからの通信終端（Ｓ１，Ｓ２）と、登録エンティティ［番号（「１」〜「５０００」）、状態（「使用中」，「空き」）］と、通信状態（Ｍ’１，Ｍ’２，Ｍ’３，Ｍ’４）とから構成され、Ｍｅｇａｃｏスレーブや擬似Ｍｅｇａｃｏマスタによって参照される。
【００４０】
図７は図１の呼制御管理部１５内に設けられたＴｅｒｍｉｎａｔｉｏｎ  ＩＤ（ＩＤｅｎｔｉｆｉｅｒ）管理テーブルの構成を示す図である。図７において、Ｔｅｒｍｉｎａｔｉｏｎ  ＩＤ管理テーブルは擬似Ｍｅｇａｃｏ  Ｔｅｒｍｉｎａｔｉｏｎ  ＩＤ（「１」〜「２０００」）と、Ｍｅｇａｃｏ  Ｔｅｒｍｉｎａｔｉｏｎ  ＩＤ（「２００１」〜「３０００」，「１」〜「１０００」）と、上位Ｍｅｇａｃｏ終端機能（Ｓ１，Ｓ２）とから構成されており、図１の呼制御管理部１５内の擬似Ｍｅｇａｃｏマスタ機能（Ｍ’２）（図４参照）が管理している。
【００４１】
擬似Ｍｅｇａｃｏマスタが受信したＭｅｇａｃｏに実装されているＴｅｒｍｉｎａｔｉｏｎ  ＩＤはＭｅｇａｃｏマスタ側で管理しているもので、複数の擬似Ｍｅｇａｃｏが管理するＴｅｒｍｉｎａｔｉｏｎを通しで管理しているため、擬似Ｍｅｇａｃｏマスタ側で自分が管理しているＴｅｒｍｉｎａｔｉｏｎ  ＩＤに読み替える必要があり、Ｔｅｒｍｉｎａｔｉｏｎ  ＩＤ管理テーブルはそのために使用されるテーブルである。
【００４２】
図８は本発明の一実施例によるＭＧＷ１を分割制御するための初期設定フローを示すフローチャートであり、図９は本発明の一実施例によるＭＧＣから回線交換網ストリーム及びＲＴＰストリームのアソシエーションをＶｏＩＰ制御部１２−１〜１２−４に設定する処理フローを示すフローチャートである。
【００４３】
これら図１〜図９を参照して図２及び図３に示すＭＧＷ１の分割制御を実現するための処理動作について、図１に示すＭＧＷ１の各機能の動作を説明する。
【００４４】
ＭＧＷ１では呼制御管理部１５に通信するＭＧＣ数、各ＭＧＣのＩＰアドレス、各ＭＧＣが制御するＴｅｒｍｉｎａｔｉｏｎ数（チャネル数）を設定する（図８ステップＳ１）。ＭＧＷ１では呼制御管理部１５に設定されたＭＧＣ数にしたがってＭｅｇａｃｏスレーブエンティティ（図４のＳ１，Ｓ２）を生成し、そのＭｅｇａｃｏスレーブエンティティが管理するリソース管理テーブル（図６参照）を作成する（図８ステップＳ２）。
【００４５】
Ｍｅｇａｃｏスレーブエンティティは、設定されたＭＧＣの制御可能なＴｅｒｍｉｎａｔｉｏｎ数を基に必要なＴｅｒｍｉｎａｔｉｏｎのリソースを擬似Ｍｅｇａｃｏマスタエンティティ（図４のＭ’１、Ｍ’２、Ｍ’３、Ｍ’４）と交渉して獲得し、上記のステップＳ２で作成したリソース管理テーブルに登録する（図８ステップＳ３）。
【００４６】
Ｍｅｇａｃｏスレーブエンティティ（図４のＳ１、Ｓ２）は、Ｔｅｒｍｉｎａｔｉｏｎリソースの獲得交渉を行った擬似Ｍｅｇａｃｏマスタエンティティ（図４のＭ’１、Ｍ’２、Ｍ’３、Ｍ’４）を、そのハントしてきたＴｅｒｍｉｎａｔｉｏｎリソースの管理エンティティとして登録する（図８ステップＳ４）。最後に、ＭＧＷ１は全てのリソースの状態を“空き”に設定し（図８ステップＳ５）、初期設定処理を終了する。
【００４７】
ＭＧＷ１はＭＧＣからＣｏｎｔｅｘｔにＴｅｒｍｉｎａｔｉｏｎを追加する指示であるＡｄｄコマンドを受信すると、そのＡｄｄコマンドをＩＰインタフェース部１３、スイッチ回路１４を介して呼制御管理部１５に送る。呼制御管理部１５の振り分け処理部（図４参照）は、初期設定で設定された情報から、コマンドを送信してきたＭＧＣ５−１，５−２に対応するＭｅｇａｃｏスレーブエンティティ（図４のＳ１，Ｓ２）に中継する（図９ステップＳ１１）。
【００４８】
Ａｄｄコマンドを受信したＭｅｇａｃｏスレーブエンティティ（図４のＳ１，Ｓ２）は、自分の管理しているリソース管理テーブル（図６参照）の登録リソースから空きリソースをハントし、その空きリソースを管理している擬似Ｍｅｇａｃｏマスタエンティティ（図４のＭ’１，Ｍ’２，Ｍ’３，Ｍ’４）を通信相手として決定し、ハントしたリソースの状態を“使用中”にする（図９ステップＳ１２）。
【００４９】
Ｍｅｇａｃｏスレーブエンティティ（図４のＳ１，Ｓ２）は、受信したＡｄｄコマンドを、通信相手として決定した擬似Ｍｅｇａｃｏマスタエンティティ（図４のＭ’１，Ｍ’２，Ｍ’３，Ｍ’４）へ転送する（図９ステップＳ１３）。Ａｄｄコマンドを受信した擬似Ｍｅｇａｃｏマスタエンティティ（図４のＭ’１，Ｍ’２，Ｍ’３，Ｍ’４）は、自分が管理しているＴｅｒｍｉｎａｔｉｏｎ  ＩＤ管理テーブル（図７参照）の空きＴｅｒｍｉｎａｔｉｏｎ  ＩＤをハントし、受信したＡｄｄコマンドのＴｅｒｍｉｎａｔｉｏｎ識別子をハントした擬似Ｍｅｇａｃｏ  Ｔｒｅｍｉｎａｔｉｏｎ  ＩＤのＭｅｇａｃｏ  Ｔｅｒｍｉｎａｔｉｏｎ  ＩＤのエリアに格納し、ＡｄｄコマンドのＴｅｒｍｉｎａｔｉｏｎ識別子をハントした擬似Ｍｅｇａｃｏ  Ｔｅｒｍｉｎａｔｉｏｎ  ＩＤに書き換え、ＶｏＩＰ制御部１２−１〜１２−４へ送信する（図９ステップＳ１４）。
【００５０】
Ａｄｄコマンドを受信した擬似Ｍｅｇａｃｏスレーブエンティティ（図４のＳ’１，Ｓ’２，Ｓ’３，Ｓ’４）はこの指示にしたがって、図５に示すようなＣｏｎｔｅｘｔを作成し、回線交換網ストリーム及びＲＴＰストリームのアソシエーションを確立し、音声パケットの中継を可能にする（図９ステップＳ１５）。その他のＭｅｇａｃｏコマンド（例えば、ＭｏｄｉｆｙコマンドやＳｕｂｔｒａｃｔコマンド）の場合も、上記のＡｄｄコマンドと同様な処理を行う。
【００５１】
このように、本実施例では、ＭＧＷ１を論理的に分割して、複数のＭＧＣ３−１，３−２，４−１，４−２，５−１，５−２から制御することができるようにしているため、ＭＧＣ３−１，３−２，４−１，４−２，５−１，５−２の処理能力がＭＧＷ１の収容チャネル数より少ない場合にも、ＭＧＷ１の収容チャネルを効率よく利用することができる。
【００５２】
また、本実施例では、ＭＧＷ１内でＭｅｇａｃｏプロトコルが多段構成になっているために、ＭＧＣ３−１，３−２，４−１，４−２，５−１，５−２からは意識せずに、複数のＶｏＩＰ制御部１２−１〜１２−４のＭｅｇａｃｏスレーブ（擬似Ｍｅｇａｃｏスレーブ）と通信することができるため、ＭＧＣ３−１，３−２，４−１，４−２，５−１，５−２の処理能力分のチャネルを有効に制御することができる。
【００５３】
さらに、本実施例では、ＶｏＩＰ制御部１２−１〜１２−４のＴｅｒｍｉｎａｔｉｏｎを呼制御管理部１５で一括管理するために、複数のＭＧＣ３−１，３−２，４−１，４−２，５−１，５−２が１つのＶｏＩＰ制御部のＴｅｒｍｉｎａｔｉｏｎを使用することができ、分割損がおきない。
【００５４】
さらにまた、本実施例では、呼制御管理部１５の擬似ＭｅｇａｃｏマスタとＶｏＩＰ制御部１２−１〜１２−４の擬似Ｍｅｇａｃｏスレーブとの間で標準のＭｅｇａｃｏを使用しているため、ＶｏＩＰ制御部１２−１〜１２−４を他のベンダーのカードと交換することができ、最新トレンドのＶｏＩＰ用のＤＳＰを取り入れることによって、ＭＧＷ１の性能を上げていくことができる。例えば、ＶｏＩＰ制御部１２−１〜１２−４が、ＰＩＣＭＧ［ＰＣＩ（Ｐｅｒｉｐｈｅｒａｌ  Ｃｏｍｐｏｎｅｎｔｓ  Ｉｎｔｅｒｃｏｎｎｅｃｔ）  Ｉｎｄｕｓｔｒｉａｌ  Ｃｏｍｐｕｔｅｒ  Ｍａｎｕｆａｃｔｕｒｅｒｓ  Ｇｒｕｏｐ］２．ｘで標準化されているｃＰＣＩ（ＣｏｍｐａｃｔＰＣＩ）のような標準プラットホームに準拠しているカードで実現している場合、このＶｏＩＰ制御部のカードだけを他のベンダーのカードと交換して使用することができる。
【図面の簡単な説明】
【００５５】
【図１】本発明の一実施例によるＭＧＷの構成を示すブロック図である。
【図２】本発明の一実施例によるネットワークの一例を示す図である。
【図３】本発明の一実施例によるネットワークの他の例を示す図である。
【図４】本発明の一実施例においてＭＧＷの各機能によるＭＧＣからの制御の中継形態を示す図である。
【図５】図１に示すＶｏＩＰ制御部内において作成されるＣｏｎｔｅｘｔを示す図である。
【図６】図１の呼制御管理部内に設けられたリソース管理テーブルの構成を示す図である。
【図７】図１の呼制御管理部内に設けられたＴｅｒｍｉｎａｔｉｏｎ  ＩＤ管理テーブルの構成を示す図である。
【図８】本発明の一実施例によるＭＧＷを分割制御するための初期設定フローを示すフローチャートである。
【図９】本発明の一実施例によるＭＧＣから回線交換網ストリーム及びＲＴＰストリームのアソシエーションをＶｏＩＰ制御部に設定する処理フローを示すフローチャートである。
【図１０】従来のＭＧＷとＭＧＣとの接続の関係を示す図である。
【図１１】従来のＭＧＷとＭＧＣとの接続の関係を示す図である。
【符号の説明】
【００５６】
１  ＭＧＷ
２  保守端末
３−１，３−２，４−１，
４−２，５−１，５−２
１１−１〜１１−４  回線インタフェース部
１２−１〜１２−４  ＶｏＩＰ制御部
１３  ＩＰインタフェース部
１４  スイッチ回路
１５  呼制御管理部
【図１】
0004752455.tif 000002
【図２】
0004752455.tif 000003
【図３】
0004752455.tif 000004
【図４】
0004752455.tif 000005
【図５】
0004752455.tif 000006
【図６】
0004752455.tif 000007
【図７】
0004752455.tif 000008
【図８】
0004752455.tif 000009
【図９】
0004752455.tif 000010
【図１０】
0004752455.tif 000011
【図１１】
0004752455.tif 000012